(57)【要約】【課題】  本発明は、識別マーク登録方法、電子装置及びコンピュータプログラムに関し、アクセス可能なホームページ、サイトやフォルダを容易に認識でき、所望の属性のホームページ、サイトやフォルダを迅速に検索できるようにすることを目的とする。【解決手段】  アクセス可能なホームページ、サイト及びフォルダのうち少なくとも１つの要素の検索を視覚的に補助する識別マークを、アクセス元の電子装置において前記要素に対して登録するように構成する。【選択図】  図２
2006053664.tif 000002
【特許請求の範囲】
【請求項１】
アクセス可能なホームページ、サイト及びフォルダのうち少なくとも１つの要素の検索を視覚的に補助する識別マークを、アクセス元の電子装置において該要素に対して登録する登録ステップを含むことを特徴とする、識別マーク登録方法。
【請求項２】
前記識別マークを、前記電子装置内に予め登録されている複数のアイコン又は複数の色パターンから選択する選択ステップを更に含むことを特徴とする、請求項１記載の識別マーク登録方法。
【請求項３】
アクセスしたホームページ又はサイトの画像を前記電子装置においてキャプチャしてサムネール化することで複数のサムネール画像を登録するステップと、
前記識別マークを、登録されたサムネール画像から選択する選択ステップを更に含むことを特徴とする、請求項１記載の識別マーク登録方法。
【請求項４】
前記選択ステップは、１つの要素に対して複数の識別マークを選択することを特徴とする、請求項２記載の識別マーク登録方法。
【請求項５】
前記識別マークは、対応する要素の属性を示すことを特徴とする、請求項１記載の識別マーク登録方法。
【請求項６】
ホームページ、サイト及びフォルダのうち少なくとも１つの要素をアクセスするアクセス手段と、
該要素の検索を視覚的に補助する識別マークを、該要素に対して登録する登録手段とを備えたことを特徴とする、電子装置。
【請求項７】
複数のアイコン又は複数の色パターンが登録されている格納手段と、
前記識別マークを、該格納手段に登録されている複数のアイコン又は複数の色パターンから選択する選択手段とを更に備えたことを特徴とする、請求項６記載の電子装置。
【請求項８】
前記登録手段により各要素に対して登録された識別マークを、前記属性に基づいて管理する管理手段を更に備えたことを特徴とする、請求項６記載の電子装置。
【請求項９】
コンピュータを、ホームページ、サイト及びフォルダのうち少なくとも１つの要素にアクセスさせるコンピュータプログラムであって、
該コンピュータに、アクセス可能なホームページ、サイト及びフォルダのうち少なくとも１つの要素の検索を視覚的に補助する識別マークを、該要素に対して登録させる登録手順を含むことを特徴とする、コンピュータプログラム。
【発明の詳細な説明】
【技術分野】
【０００１】
本発明は識別マーク登録方法、電子装置及びコンピュータプログラムに係り、特にアクセス可能なホームページ、サイトやフォルダの検索を視覚的に補助する識別マークの登録するための識別マーク登録方法、そのような識別マーク登録方法を採用する電子装置、及びコンピュータに識別マークの登録を行わせるコンピュータプログラムに関する。
【背景技術】
【０００２】
近年、携帯電話やＰＤＡ（Personal Digital Assistants）等の電子装置からもインターネットをアクセスすることができるようになった。このような電子装置は、ホームページやサイトのＵＲＬをブックマークする機能を備えており、ブックマークされたＵＲＬは、その名称又は文字情報で表示部に表示される。
【０００３】
尚、ブックマーク管理システムとしては、例えば特許文献１に記載されている如きものが提案されている。
【特許文献１】特開２００３−６７３２８公報
【発明の開示】
【発明が解決しようとする課題】
【０００４】
しかし、従来の電子装置でブックマークされたＵＲＬは、その名称又は文字情報で表示部に表示されるため、ユーザはＵＲＬの名称や内容を記憶していないと、ＵＲＬがどのような種類又は特性のサービスに関するものであるのか、或いは、どのような画像に関するものであるのかを正確に認識することは難しいという問題があった。又、特に携帯型の電子装置の場合には、表示部が比較的に小さいので、表示部に表示されている名称又は文字情報を一目見ただけでは、ＵＲＬを正確に認識することは難しいという問題もあった。更に、名称又は文字情報が表示部に表示されるフォルダの場合も、これらと同様の問題が発生するという問題があった。
【０００５】
又、従来の電子装置でブックマークされたＵＲＬ又は格納されたフォルダを検索する場合、ＵＲＬ又はフォルダがどのような情報又は画像に関するものであるかを示す属性については、ユーザの記憶に頼る構成であるため、迅速に所望の属性のＵＲＬ又はフォルダを検索することは難しいという問題もあった。
【０００６】
そこで、本発明は、アクセス可能なホームページ、サイトやフォルダを容易に認識できるようにし、所望の属性のホームページ、サイトやフォルダを迅速に検索できるようにした識別マーク登録方法、電子装置及びコンピュータプログラムを提供することを目的とする。
【課題を解決するための手段】
【０００７】
上記の課題は、アクセス可能なホームページ、サイト及びフォルダのうち少なくとも１つの要素の検索を視覚的に補助する識別マークを、アクセス元の電子装置において該要素に対して登録する登録ステップを含むことを特徴とする識別マーク登録方法によって達成できる。
【０００８】
上記の課題は、ホームページ、サイト及びフォルダのうち少なくとも１つの要素をアクセスするアクセス手段と、該要素の検索を視覚的に補助する識別マークを、該要素に対して登録する登録手段とを備えたことを特徴とする電子装置によっても達成できる。
【０００９】
上記の課題は、コンピュータを、ホームページ、サイト及びフォルダのうち少なくとも１つの要素にアクセスさせるコンピュータプログラムであって、該コンピュータに、アクセス可能なホームページ、サイト及びフォルダのうち少なくとも１つの要素の検索を視覚的に補助する識別マークを、該要素に対して登録させる登録手順を含むことを特徴とするコンピュータプログラムによっても達成できる。
【発明の効果】
【００１０】
本発明によれば、アクセス可能なホームページ、サイトやフォルダを容易に認識することができ、所望の属性のホームページ、サイトやフォルダを迅速に検索することができる。
【発明を実施するための最良の形態】
【００１１】
本発明では、アクセス可能なホームページ、サイト及びフォルダのうち少なくとも１つの要素の検索を視覚的に補助する識別マークを、アクセス元の携帯電話、ＰＤＡ等の電子装置において要素に対して登録する。各要素に対して登録される識別マークは、電子装置のユーザにより選択されて登録されるので、ホームページ、サイトやフォルダを容易に認識することができ、所望の属性のホームページ、サイトやフォルダを迅速に検索することができる。
【００１２】
以下に、本発明になる識別マーク登録方法、電子装置及びコンピュータプログラムの各実施例を、図面と共に説明する。
【実施例】
【００１３】
図１は、本発明になる電子装置の一実施例の要部の構成を示すブロック図である。本実施例では、説明の便宜上、本発明が携帯電話に適用されているが、電子装置は携帯電話に限定されるものではない。電子装置は、例えばコンピュータ、ＰＤＡや通信装置等のインターネットと接続可能な各種装置を含み、デスクトップ等の設置型であっても、携帯型であっても良い。
【００１４】
電子装置の本実施例は、本発明になる識別マーク登録方法の一実施例を採用し、本発明になるコンピュータプログラムの一実施例を用いる。
【００１５】
図１に示す携帯電話１は、ＣＰＵ１１、メモリ部１２、送受信部１３、複数の操作キーを有する操作部１４及び表示部１５がバス１８により接続された構成を有する。ＣＰＵ１１は、携帯電話１全体の動作の制御を司る。メモリ部１２は、ＣＰＵ１１が実行するコンピュータプログラムと、ＣＰＵ１１が行う演算の中間データや後述するアイコンを含む各種データを格納する半導体記憶装置からなる。送受信部１３は、アンテナ（図示せず）を介した送受信を行う周知の構成を有する。操作部１４は、ユーザが情報を携帯電話１に入力する際に操作される複数の操作キーを有する。操作キーには、例えば数字／文字入力キー、カーソル移動キー、決定キー等が含まれる。表示部１５は、後述する各種メニューや、操作キーから入力された情報等を表示する。尚、操作部１４及び表示部１５は、タッチパネルの場合のように一体的に設けられていても良い。
【００１６】
電子装置が本実施例のように無線通信を行うものではなく、有線通信を行う場合には、送受信部１３の代わりにインターネット等のネットワークに接続するインタフェースを含む送受信部を設ければ良い。
【００１７】
メモリ部１２に格納されているコンピュータプログラムには、コンピュータプログラムの本実施例、即ち、識別マーク登録を行う識別マーク登録プログラムや、識別マーク検索プログラム等が含まれる。識別マーク登録プログラム等のコンピュータプログラムを格納するコンピュータ読み取り可能な記憶媒体は、本実施例ではメモリ部１２を構成する半導体記憶装置であるが、記憶媒体の種類は特に限定されず、磁気記憶媒体、光記憶媒体や光磁気記憶媒体であっても良いことは言うまでもない。又、コンピュータプログラムは、無線ネットワーク及び／又は有線ネットワークを介してメモリ部１２にインストールされるものであっても良い。
【００１８】
図２は、本実施例における第１の識別マーク登録処理を説明するフローチャートである。図２に示す第１の識別マーク登録処理は、ＣＰＵ１１により行われる。図２では、説明の便宜上、各ステップで表示部１５に表示されるメニューや情報が示されている。
【００１９】
図２において、ステップＳ１は、ユーザによる操作部１４のキー操作に応答して、周知の方法によりインターネットに接続し、ホームページ又はサイトをアクセスする。この場合、説明の便宜上、「Web Navi」なるサイトがアクセスされて表示部１５に表示されるものとする。ステップＳ２は、操作部１４の「機能」を選択するキー操作に応答して、機能選択サブメニューを表示部１５に表示する。ステップＳ３は、操作部１４のキー操作により機能選択サブメニュー上で「BOOKMARK」なる機能が選択されると、ブックマーク登録メニューを表示部１５に表示する。ブックマーク登録メニューには、選択可能なブックマークのフォルダ及びその名称が表示され、ブックマークのフォルダの選択をユーザに促す。操作部１４の「選択」を選択するキー操作によりブックマークの「毎日使う」なる名称のフォルダがブックマーク登録メニュー上で選択されると、ステップＳ４は、選択されたブックマークのフォルダの名称と、アイコン選択方法の選択をユーザに促すメニューを表示部１５に表示する。本実施例では、アイコン選択方法は、「端末内アイコンを選ぶ」、「サイト指定アイコンを使う」、及び「特に選ばない」から選択可能である。「端末内アイコンを選ぶ」なるアイコン選択方法が選択されると、電子装置１のメモリ部１２に登録されているアイコンリストから所望のアイコンが選択可能となる。「サイト指定アイコンを使う」なるアイコン選択方法が選択されると、アクセスされたホームページ又はサイトにより指定されたアイコンが周知の方法で選択されるので、ブックマークは従来と同様の手順で行われる。「特に選ばない」なるアイコン選択方法が選択されると、アイコンの選択は特に行われないので、ブックマークは従来と同様の手順で行われる。
【００２０】
ステップＳ４において、操作部１４のキー操作により「端末内アイコンを選ぶ」なるアイコン選択方法が選択されると、ステップＳ５は、メモリ部１２に登録されているアイコンリストを表示部１５に表示する。アイコンリストは、デフォルトアイコンとして予めメモリ部１２に格納されていても、ユーザが作成したアイコンをメモリ部１２に格納しても良い。又、メモリ部１２に格納されたアイコンリストは、操作部１４のキー操作により任意に変更可能であっても良い。ユーザが操作部１４のキー操作により所望のアイコンを選択すると、ステップＳ６は、選択されたアイコンを「Web Navi」なるサイトに対して登録して登録情報をメモリ部１２に格納し、アクセスされたホームページ又はサイトに対して選択されたアイコンが登録された旨を示すメッセージを表示部１５に表示する。
【００２１】
このように、第１の識別マーク登録処理では、アイコンを、ホームページ又はサイトの検索を視覚的に補助する識別マークとして使用する。図２は、２つのアイコンが１つのサイトに対して登録された場合を示すが、１つのサイトに対して登録されるアイコンの数は１又は複数であっても良い。
【００２２】
又、各アイコンはホームページ又はサイトの属性を示す絵になっているので、後述する識別マーク（アイコン）検索時には、ホームページ又はサイトのＵＲＬの名称又は文字情報のみに頼ることなく、主にアイコンの属性から所望のホームページ又はサイトを容易に視覚的に検索することが可能となる。例えば、アイコンが示すホームページ又はサイトの属性が「検索エンジン」である場合、アイコンは図２に示すような検索を示す矢印の絵であっても、虫眼鏡や地球儀の絵であっても良く、要は、属性を視覚的に示す絵（又は、記号）であれば良い。従って、各ホームページ又はサイトに対して登録されたアイコンを、属性に基づいて管理することができる。図２では、「Web Navi」なるサイトが、「毎日使う」なるブックマークのフォルダにブックマークされ、「生活」なる属性のアイコン及び「検索エンジン」なる属性のアイコンが、「Web Navi」なるサイトに対して登録された場合を示す。
【００２３】
図３は、図２に示す第１の識別マーク登録処理が行われている場合の、本実施例における第１の識別マーク検索処理を説明するフローチャートである。図３に示す第１の識別マーク検索処理は、ＣＰＵ１１により行われる。図３では、説明の便宜上、各ステップで表示部１５に表示されるメニューや情報が示されている。
【００２４】
図３において、ステップＳ１１は、ユーザによる操作部１４のキー操作に応答して、ブックマーク選択メニューを表示部１５に表示する。操作部１４の「選択」を選択するキー操作によりブックマークの「毎日使う」なる名称のフォルダがブックマーク選択メニュー上で選択された後、ステップＳ１２は、操作部１４の「機能」を選択するキー操作に応答して、機能選択サブメニューを表示部１５に表示する。操作部１４のキー操作により機能選択サブメニュー上で「検索」なる機能が選択されると、ステップＳ１３は、選択されたブックマークのフォルダ内に登録されているホームページ又はサイトの検索方法の選択をユーザに促す検索選択サブメニューを表示部１５に表示する。本実施例では、検索方法は、「アイコンから検索」及び「テキストから検索」から選択可能である。「アイコンから検索」なる検索方法が選択されると、ホームページ又はサイトの検索はアイコンに基づいて行われる。他方、「テキストから検索」が選択されると、ホームページ又はサイトの検索は、ホームページ又はサイトの名称及び文字情報、即ち、テキストに基づいて従来と同様の手順で行われる。
【００２５】
操作部１４のキー操作により検索選択サブメニュー上で「アイコンから選択」が選択されると、ステップＳ１４は、選択されたブックマークのフォルダに対して現在使われているアイコンを表示し、アイコンの選択をユーザに促す。ユーザが例えば操作部１４のキー操作により「生活」、「検索（エンジン）」、「ショッピング」、「地図」及び「交通」なる属性のアイコンを選択すると、ステップＳ１５は、検索結果を表示部１５に表示する。この場合、検索結果は、「毎日使う」なる名称のフォルダに対して、属性が「生活」であるアイコンが登録されたホームページ及び／又はサイトが１０件、属性が「検索（エンジン）」であるアイコンが登録されたホームページ及び／又はサイトが７件、属性が「ショッピング」であるアイコンが登録されたホームページ及び／又はサイトが２４件、属性が「地図」であるアイコンが登録されたホームページ及び／又はサイトが５件、属性が「交通」であるアイコンが登録されたホームページ及び／又はサイトが３件あることを示す。尚、同じホームページ及び／又はサイトに、２以上の異なる属性のアイコンが登録されていても良い。ユーザが例えば操作部１４のキー操作により検索結果上で属性が「生活」であるアイコンを選択すると、ステップＳ１６は、「毎日使う」なる名称のフォルダに対して、属性が「生活」であるアイコンが登録されたホームページ及び／又はサイトの名称及び文字情報を表示部１５に表示する。表示されているホームページ又はサイトにアクセスする場合には、操作部１４のキー操作により所望のホームページ又はサイトを選択すれば良い。
【００２６】
尚、検索選択サブメニュー上で「アイコンから選択」が選択された場合、ユーザが操作部１４のキー操作によりその都度アイコンを選択する代わりに、予め設定されたアイコンが自動的に選択されるようにしても良い。予め設定されるアイコンは、デフォルトとなっていても、及び／又は、ユーザが選択するようにしても良い。又、予め設定されたアイコン郡に対して、ユーザがアイコンを削除して変更することで最終的にアイコンを選択するようにしても良い。
【００２７】
このように、第１の識別マーク検索処理によれば、ホームページ又はサイトのＵＲＬの名称又は文字情報のみに頼ることなく、主にアイコンの属性から所望のホームページ又はサイトを容易に視覚的に検索することが可能となる。又、アイコンに基づいて検索を行うことができるので、特に表示部１５が比較的小さくて表示面積が限られている場合に、ＵＲＬの名称又は文字情報等のテキストのみに基づいて検索を行う場合と比較すると、検索を正確に、且つ、高速に行うことができる。
【００２８】
図４は、本実施例における第２の識別マーク登録処理を説明するフローチャートである。図４に示す第２の識別マーク登録処理は、ＣＰＵ１１により行われる。図４では、説明の便宜上、各ステップで表示部１５に表示されるメニューや情報が示されている。
【００２９】
図４において、ステップＳ２１は、ユーザによる操作部１４のキー操作に応答して、周知の方法によりインターネットに接続し、ホームページ又はサイトをアクセスする。この場合、説明の便宜上、「Web Navi」なるサイトがアクセスされて表示部１５に表示されるものとする。ステップＳ２２は、操作部１４の「機能」を選択するキー操作に応答して、機能選択サブメニューを表示部１５に表示する。ステップＳ２３は、操作部１４のキー操作により機能選択サブメニュー上で「BOOKMARK」なる機能が選択され、更に「機能」を選択するキー操作が行われると、「サムネールでも保存」を選択するサブメニューを表示部１５に表示する。操作部１４のキー操作によりサブメニュー上で「サムネールでも保存」が選択されると、「Web Navi」なるサイトの画像をキャプチャしてサムネール化することでサムネール画像をメモリ部１２に格納して登録する。
【００３０】
ステップＳ２３の後、ステップＳ２４は、ブックマーク登録メニューを表示部１５に表示する。ブックマーク登録メニューには、選択可能なブックマークのフォルダ及びその名称が表示され、ブックマークのフォルダの選択をユーザに促す。操作部１４の「選択」を選択するキー操作によりブックマークの「毎日使う」なる名称のフォルダがブックマーク登録メニュー上で選択されると、ステップＳ２５は、選択されたブックマークのフォルダの名称と、アイコン選択方法の選択をユーザに促すメニューを表示部１５に表示する。本実施例では、アイコン選択方法は、「端末内アイコンを選ぶ」、「サイト指定アイコンを使う」、及び「特に選ばない」から選択可能である。「端末内アイコンを選ぶ」なるアイコン選択方法が選択されると、電子装置１のメモリ部１２に登録されているアイコンリストから所望のアイコンが選択可能となる。「サイト指定アイコンを使う」なるアイコン選択方法が選択されると、アクセスされたホームページ又はサイトにより指定されたアイコンが周知の方法で選択されるので、ブックマークは従来と同様の手順で行われる。「特に選ばない」なるアイコン選択方法が選択されると、アイコンの選択は特に行われないので、ブックマークは従来と同様の手順で行われる。
【００３１】
ステップＳ２５において、操作部１４のキー操作により「端末内アイコンを選ぶ」なるアイコン選択方法が選択されると、ステップＳ２６は、メモリ部１２に登録されているアイコンリストを表示部１５に表示する。アイコンリストは、デフォルトアイコンとして予めメモリ部１２に格納されていても、ユーザが作成したアイコンをメモリ部１２に格納しても良い。又、メモリ部１２に格納されたアイコンリストは、操作部１４のキー操作により任意に変更可能であっても良い。ユーザが操作部１４のキー操作により所望のアイコンを選択すると、ステップＳ２７は、選択されたアイコンを「Web Navi」なるサイトに対して登録して登録情報をメモリ部１２に格納し、アクセスされたホームページ又はサイトに対して選択されたアイコンが登録された旨を示すメッセージを表示部１５に表示する。
【００３２】
このように、第２の識別マーク登録処理では、アイコン及びサムネールを、ホームページ又はサイトの検索を視覚的に補助する識別マークとして使用する。図４は、２つのアイコンが１つのサイトに対して登録された場合を示すが、１つのサイトに対して登録されるアイコンの数は１又は複数であっても良い。又、各アイコンはホームページ又はサイトの属性を示す絵になっているので、後述する識別マーク（アイコン）検索時には、ホームページ又はサイトのＵＲＬの名称又は文字情報のみに頼ることなく、主にアイコンの属性から所望のホームページ又はサイトを容易に視覚的に検索することが可能となる。図４では、「Web Navi」なるサイトが、「毎日使う」なるブックマークのフォルダにブックマークされ、「生活」なる属性のアイコン及び「検索エンジン」なる属性のアイコンが、「Web Navi」なるサイトに対して登録された場合を示す。
【００３３】
次に、図４に示す第２の識別マーク登録処理が行われている場合の、本実施例における第２の識別マーク検索処理を説明する。第２の識別マーク検索処理は、図３に示す第１の識別マーク検索処理と基本的には同じであるが、ユーザが例えば操作部１４のキー操作により検索結果上で属性が「生活」であるアイコンを選択すると、ステップＳ１６の代わりに、「毎日使う」なる名称のフォルダに対して、図５に示す如き、属性が「生活」であるアイコンが登録されたホームページ及び／又はサイトのサムネールを表示部１５に表示するステップが行われる。図５は、サムネール画像を示す図である。表示されているホームページ又はサイトにアクセスする場合には、操作部１４のキー操作により所望のホームページ又はサイトのサムネールを選択すれば良い。このように、サムネール画像は、ホームページ又はサイトのプロバイダ側で用意されるものではなく、電子装置１においてブックマークされたホームページ又はサイトの画像をキャプチャしてサムネール化することで得られたものなので、ユーザはサムネール画像を見ることで、ホームページ又はサイトの内容や属性を容易に確認することができる。サムネールに基づいた検索を行う場合の効果は、アイコンに基づいた検索を行う場合の効果と実質的に同じである。
【００３４】
尚、ユーザが例えば操作部１４のキー操作により検索結果上で属性が「生活」であるアイコンを選択すると、「毎日使う」なる名称のフォルダに対して、図３のステップＳ１６に示す如き属性が「生活」であるアイコンが登録されたホームページ及び／又はサイトの名称及び文字情報を表示部１５に表示するモードと、図５に示す如き属性が「生活」であるアイコンが登録されたホームページ及び／又はサイトのサムネールを表示部１５に表示するモードとを、操作部１４の「選択」を選択するキー操作により切り替え可能としても良い。
【００３５】
図６は、実施例における第３の識別マーク登録処理を説明するフローチャートである。図６に示す第３の識別マーク登録処理は、ＣＰＵ１１により行われる。図６では、説明の便宜上、各ステップで表示部１５に表示されるメニューや情報が示されている。
【００３６】
図６において、ステップＳ２４は、ユーザによる操作部１４のキー操作に応答して、ブックマーク登録メニューを表示部１５に表示する。ブックマーク登録メニューには、選択可能なブックマークのフォルダ及びその名称が表示され、ブックマークのフォルダの選択をユーザに促す。ここでは、操作部１４の「選択」を選択するキー操作によりブックマークの「毎日使う」なる名称のフォルダがブックマーク登録メニュー上で選択される。ステップＳ３２は、操作部１４の「機能」を選択するキー操作に応答して、機能選択サブメニューを表示部１５に表示する。操作部１４のキー操作により機能選択サブメニュー上で「フォルダの色を変更」が選択されると、ステップＳ３３は、フォルダの色を変更するメニューを表示部１５に表示する。フォルダの色を変更するメニュー上では、電子装置１のメモリ部１２に登録されている色パターンリスト（又は、パレット）から所望の色パターンが選択可能である。色パターンは、一色又は複数色からなり、柄、模様又は絵等を含んでも良い。ユーザは、操作部１４のキー操作により「毎日使う」なる名称のフォルダ、即ち、このフォルダを示すアイコンの色パターンを選択して「決定」を選択するキー操作を行うことで、このフォルダを示すアイコンの色パターンが所望の色パターンに変更される。
【００３７】
色パターンリストは、アイコンリストの場合と同様に、デフォルト色パターンとして予めメモリ部１２に格納されていても、ユーザが作成した色パターンをメモリ部１２に格納しても良い。又、メモリ部１２に格納された色パターンリストは、操作部１４のキー操作により任意に変更可能であっても良い。
【００３８】
このように、第３の識別マーク登録処理では、フォルダの色パターンを、ホームページ又はサイトの検索を視覚的に補助する識別マークとして使用する。ユーザは、各フォルダの色パターンを任意に設定又は変更することができるので、フォルダの属性等に応じてフォルダを色パターンによりグループ分けすることもできる。各フォルダに対して登録された色パターンを、属性に基づいて管理することができる。これにより、各フォルダはホームページ又はサイトの属性を示す色パターンにすることができるので、対応する第３の識別マーク（色パターン）検索処理時には、ホームページ又はサイトのＵＲＬの名称又は文字情報のみに頼ることなく、主にフォルダの色パターンから所望のホームページ又はサイトを容易に視覚的に検索することが可能となる。
【００３９】
図７は、本実施例における第４の識別マーク登録処理を説明するフローチャートである。図７に示す第４の識別マーク登録処理は、ＣＰＵ１１により行われる。図７では、説明の便宜上、各ステップで表示部１５に表示されるメニューや情報が示されている。第４の識別マーク登録処理では、アイコンを、アドレス帳（又は、電話帳）の検索を視覚的に補助する識別マークとして使用する。
【００４０】
図７において、ステップＳ４１は、ユーザによる操作部１４のキー操作に応答して、周知の方法によりアドレス登録を行い、登録された姓、名、電子メールアドレス、電話番号等のアドレス情報を示すアドレス新規登録メニューを表示部１５に表示する。操作部１４のキー操作により「グループ登録（ＧＲ）」がアドレス新規登録メニュー上で選択されると、ステップＳ４２は、登録するグループに対するアイコンの選択をユーザに促すため、メモリ部１２に登録されているアイコンリストを表示部１５に表示する。アイコンリストは、デフォルトアイコンとして予めメモリ部１２に格納されていても、ユーザが作成したアイコンをメモリ部１２に格納しても良い。又、メモリ部１２に格納されたアイコンリストは、操作部１４のキー操作により任意に変更可能であっても良い。ユーザが操作部１４のキー操作により所望のアイコンを選択すると、ステップＳ４３は、選択されたアイコンをアドレス情報に対して登録して登録情報をメモリ部１２に格納し、登録されたアドレス情報に対して選択されたアイコンが登録された旨を示すメッセージを表示部１５に表示する。図７は、「会社」と「バンド」を示す属性のアイコンがアドレス情報に対して登録された場合を示す。ステップＳ４４は、登録されたアドレス情報と登録されたアイコンを示すアドレス新規登録メニューを表示部１５に表示する。
【００４１】
このように、第４の識別マーク登録処理では、アイコンを、アドレス帳（又、電話帳）の検索を視覚的に補助する識別マークとして使用する。図７は、２つのアイコンが１つのアドレス情報に対して登録された場合を示すが、１つのアドレス情報に対して登録されるアイコンの数は１又は複数であっても良い。
【００４２】
又、各アイコンはホームページ又はサイトの属性を示す絵になっているので、後述する識別マーク（アイコン）検索時には、アドレス情報の名称又は文字情報のみに頼ることなく、主にアイコンの属性から所望のアドレス情報を容易に視覚的に検索することが可能となる。
【００４３】
図８は、図７に示す第４の識別マーク登録処理が行われている場合の、本実施例における第４の識別マーク検索処理を説明するフローチャートである。図８に示す第４の識別マーク検索処理は、ＣＰＵ１１により行われる。図８では、説明の便宜上、各ステップで表示部１５に表示されるメニューや情報が示されている。
【００４４】
図８において、ステップＳ５１は、操作部１４のキー操作に応答して、アドレス検索メニューを表示部１５に表示する。ここでは、説明の便宜上、アドレス検索が、名前に基づいて行われる「名前検索」、グループに基づいて行われる「グループ検索」及び電話番号に基づいて行われる「電話番号検索」から選択可能であるものとする。「名前検索」又は「電話番号検索」が選択された場合は、アドレス検索が従来と同様の手順で行われる。他方、操作部１４のキー操作により「グループ検索」が選択されると、ステップＳ５２は、ユーザにグループ検索方法の選択を促すサブメニューを表示部１５に表示する。本実施例では、グループ検索方法は、「アイコンで検索する」及び「グループ一覧を見る」から選択可能である。「グループ一覧を見る」なるグループ検索方法が選択された場合は、従来と同様の手順でグループの一覧が表示部１５に表示される。
【００４５】
操作部１４のキー操作により「アイコンで検索する」なるグループ検索方法が選択されると、ステップＳ５３は、選択されたアドレス帳のフォルダに対して現在使われているアイコンを表示し、アイコンの選択をユーザに促す。ユーザが例えば操作部１４のキー操作により「料理教室」、及び「ボランティア」なる属性のアイコンを選択すると、ステップＳ５４は、検索結果を表示部１５に表示する。この場合、検索結果は、アドレス帳のフォルダに対して、属性が「料理教室＆ボランティア」である２つのアイコンが登録されたアドレス情報が２件（田中さとみ、吉岡美穂）、属性が「料理教室］である１つのアイコンのみが登録されたアドレス情報が２件（東田けい、菅家まりお）、属性が「ボランティア」である１つのアイコンのみが登録されたアドレス情報が１件（佐倉なお）あることを示す。このように、複数のアイコンが登録されたアドレス情報も検索結果として得られるため、ユーザの意図する属性のアドレス情報を容易に検索することができる。
【００４６】
このように、第４の識別マーク検索処理によれば、アドレス情報の名称又は文字情報のみに頼ることなく、主にアイコンの属性から所望のアドレス情報を容易に視覚的に検索することが可能となる。又、アイコンに基づいて検索を行うことができるので、特に表示部１５が比較的小さくて表示面積が限られている場合に、アドレス情報の名称又は文字情報等のテキストのみに基づいて検索を行う場合と比較すると、検索を正確に、且つ、高速に行うことができる。
【００４７】
尚、アドレス帳（又は、電話帳）のフォルダに対しては、図６に示した第３の識別マーク登録処理と同様の処理を行い、フォルダの色パターンを、アドレス情報の検索を視覚的に補助する識別マークとして使用するようにしても良い。この場合、ユーザは、各フォルダの色パターンを任意に設定又は変更することができるので、フォルダの属性等に応じてフォルダを色パターンによりグループ分けすることもできる。これにより、各フォルダはアドレス情報の属性を示す色パターンにすることができるので、対応する識別マーク（色パターン）検索処理時には、アドレス情報の名称又は文字情報のみに頼ることなく、主にフォルダの色パターンから所望のアドレス情報を容易に視覚的に検索することが可能となる。
【００４８】
ところで、アイコン及び色パターンは、電子装置１においてユーザが作成してアイコンリスト及び色パターンリストに追加しても、例えばサーバ等の他の電子装置からネットワークを介して入手してアイコンリスト及び色パターンリストに追加しても良い。又、アイコンリスト及び色パターンリストは、ネットワークを介して入手するようにしても良い。
【００４９】
本発明になるコンピュータプログラム、即ち、識別マーク登録プログラム及び／又は識別マーク検索プログラムは、ブラウザソフトウェアのＡＰＩ（Application Programming Interface）又は拡張機能として電子装置１にプレインストールされていても良いことは、言うまでもない。
【００５０】
尚、本発明は、以下に付記する発明をも包含するものである。
（付記１）  アクセス可能なホームページ、サイト及びフォルダのうち少なくとも１つの要素の検索を視覚的に補助する識別マークを、アクセス元の電子装置において該要素に対して登録する登録ステップを含むことを特徴とする、識別マーク登録方法。
（付記２）  前記識別マークを、前記電子装置内に予め登録されている複数のアイコン又は複数の色パターンから選択する選択ステップを更に含むことを特徴とする、付記１記載の識別マーク登録方法。
（付記３）  アクセスしたホームページ又はサイトの画像を前記電子装置においてキャプチャしてサムネール化することで複数のサムネール画像を登録するステップと、
前記識別マークを、登録されたサムネール画像から選択する選択ステップを更に含むことを特徴とする、付記１記載の識別マーク登録方法。
（付記４）  前記選択ステップは、１つの要素に対して複数の識別マークを選択することを特徴とする、付記２記載の識別マーク登録方法。
（付記５）  前記識別マークは、対応する要素の属性を示すことを特徴とする、付記１記載の識別マーク登録方法。
（付記６）  ホームページ、サイト及びフォルダのうち少なくとも１つの要素をアクセスするアクセス手段と、
該要素の検索を視覚的に補助する識別マークを、該要素に対して登録する登録手段とを備えたことを特徴とする、電子装置。
（付記７）  複数のアイコン又は複数の色パターンが登録されている格納手段と、
前記識別マークを、該格納手段に登録されている複数のアイコン又は複数の色パターンから選択する選択手段とを更に備えたことを特徴とする、付記６記載の電子装置。
（付記８）  前記アクセス手段がアクセスしたホームページ又はサイトの画像をキャプチャしてサムネール化することで複数のサムネール画像を格納手段に登録する手段と、
前記識別マークを、該格納手段に登録されているサムネール画像から選択する選択手段とを更に備えたことを特徴とする、付記６記載の電子装置。
（付記９）  前記登録手段により各要素に対して登録された識別マークを、前記属性に基づいて管理する管理手段を更に備えたことを特徴とする、付記６記載の電子装置。
（付記１０）  コンピュータを、ホームページ、サイト及びフォルダのうち少なくとも１つの要素にアクセスさせるコンピュータプログラムであって、
該コンピュータに、アクセス可能なホームページ、サイト及びフォルダのうち少なくとも１つの要素の検索を視覚的に補助する識別マークを、該要素に対して登録させる登録手順を含むことを特徴とする、コンピュータプログラム。
（付記１１）  前記コンピュータに、前記識別マークを、予め登録されている複数のアイコン又は複数の色パターンから選択させる選択手順を更に含むことを特徴とする、付記１０記載のコンピュータプログラム。
（付記１２）  前記コンピュータに、アクセスしたホームページ又はサイトの画像をキャプチャさせてサムネール化させることで複数のサムネール画像を登録させる手順と、
該コンピュータに、前記識別マークを、登録されたサムネール画像から選択させる選択手順を更に含むことを特徴とする、付記１０記載のコンピュータプログラム。
（付記１３）  前記コンピュータに、前記登録手順により各要素に対して登録された識別マークを、前記属性に基づいて管理させる管理手順を更に含むことを特徴とする、付記１０記載のコンピュータプログラム。
（付記１４）  アクセス可能なホームページ、サイト及びフォルダのうち少なくとも１つの要素を、該要素に対して登録されており該要素の検索を視覚的に補助する１又は複数の識別マークに基づいて検索する検索ステップを含み、
該識別マークは、アイコン及び／又は色パターンであることを特徴とする、識別マーク検索方法。
【００５１】
以上、本発明を実施例により説明したが、本発明は上記実施例に限定されるものではなく、本発明の範囲内で種々の変形及び改良が可能であることは、言うまでもない。
【図面の簡単な説明】
【００５２】
【図１】本発明になる電子装置の一実施例の要部を示すブロック図である。
【図２】実施例における第１の識別マーク登録処理を説明するフローチャートである。
【図３】実施例における第１の識別マーク検索処理を説明するフローチャートである。
【図４】実施例における第２の識別マーク登録処理を説明するフローチャートである。
【図５】サムネール画像を示す図である。
【図６】実施例における第３の識別マーク登録処理を説明するフローチャートである。
【図７】実施例における第４の識別マーク登録処理を説明するフローチャートである。
【図８】実施例における第４の識別マーク検索処理を説明するフローチャートである。
【符号の説明】
【００５３】
１      携帯電話
１１      ＣＰＵ
１２      メモリ部
１３      送受信部
１４      操作部
１５      表示部
１８      バス
【図１】
2006053664.tif 000003
【図２】
2006053664.tif 000004
【図３】
2006053664.tif 000005
【図４】
2006053664.tif 000006
【図５】
2006053664.tif 000007
【図６】
2006053664.tif 000008
【図７】
2006053664.tif 000009
【図８】
2006053664.tif 000010